(57)【要約】【課題】粉砕圧送部と切替手段が好適に動作する粉砕圧送部付き便器を提供する。【解決手段】ボウルと、粉砕圧送部と、前記粉砕圧送部を制御する粉砕圧送部制御手段と、前記ボウルと前記粉砕圧送部の連通モードと遮断モードを切り替える切替手段と、前記切替手段を制御する切替制御手段とを備えた粉砕圧送部付き便器において、前記切替手段は前記粉砕圧送部の運転に合わせて連通モードと遮断モードを切り替えるものとした。特に前記切替手段は前記粉砕圧送部の駆動時には遮断モードとなるものとした。【選択図】　図１
2004116227.tif 000002
【特許請求の範囲】
【請求項１】
ボウルと、粉砕圧送部と、前記粉砕圧送部を制御する粉砕圧送部制御手段と、前記ボウルと前記粉砕圧送部の連通モードと遮断モードを切り替える切替手段と、前記切替手段を制御する切替制御手段とを備えた粉砕圧送部付き便器において、前記切替手段は前記粉砕圧送部の運転に合わせて連通モードと遮断モードを切り替えることを特徴とする粉砕圧送部付き便器。
【請求項２】
前記切替手段は前記粉砕圧送部の駆動時には遮断モードとなることを特徴とする請求項１記載の粉砕圧送部付き便器。
【発明の詳細な説明】
【０００１】
【発明の属する技術分野】
本発明は、ボウルと、粉砕圧送部と、前記ボウルと前記粉砕圧送部の連通モードと遮断モードを切り替える切替手段と、前記切替手段を制御する切替制御手段とを備え、粉砕圧送部と切替手段が好適に動作する粉砕圧送部付き便器に関する。
【０００２】
【従来の技術】
ライフスタイルの変化に柔軟に対応した屋内の配置変更を叶えるため、近年汚物を粉砕し細管にて圧送する排水圧送部付き便器の技術開発が進められている。排水圧送部付き便器においてはボウルと粉砕圧送部との間にフラッパー弁などの両者の連通モードと遮断モードを切り替える切替手段を設ける構造が考えられる。
【０００３】
移動式水洗便器においては、ボウル底部の排水口と連通する開閉自在な封止弁付きの汚物排出口を設け、この汚物排出口から着脱自在に接続できる排水装置が便器と別体にて具備されており、さらにボウル底部の排水口と汚物排出口との間に汚物溜を設け、ボウル底部の排水口に開閉自在のフラッパー弁が設けられている移動式水洗便器がある。便器本体と排水装置が接続された状態でボウルに給水すると、ボウル、フラッパー弁、汚物溜を洗浄しながら、封止弁に到達する。すると水の勢いによって封止弁が開き、汚物排出口から排水装置へと汚物等が排出されていく。水がなくなると開閉バネにより封止弁は閉じるようになっている（例えば、特許文献１参照。）。
【０００４】
【特許文献１】
特開平９−２５６４４２号公報
【０００５】
【本発明が解決しようとする課題】
しかしながら上記移動式水洗便器においては、排水装置の排水方式が示されていないものの、これが粉砕圧送部のように駆動機構を備えたものである場合には、封止弁の開閉は排水装置の状態を踏まえた動作であることが望ましい。排水装置と便器本体が接続されている状態においては、粉砕圧送部付き便器と同様の形態であり、ボウルと粉砕圧送部との連通モードと遮断モードを切り替える切替手段にあたるのが封止弁、粉砕圧送部にあたるのが排水装置であるといえる。粉砕圧送部付き便器においてはカッターで汚物を粉砕し、ポンプにて圧送することが考えられるが、カッターが粉砕中に連通モードとなっているようであれば誤って手を入れてしまったり異物を落とし込んだりする可能性もあり危険である。またポンプが駆動している際に連通モードとなっているようであれば、ポンプの駆動音がボウル側に伝達し、ボウルは便座に向け開いた形状となっているため音が使用者に向け拡散することとなり不快感を与える恐れがある。
よって本発明は上記課題を解決し、粉砕圧送部と切替手段が好適に動作する粉砕圧送部付き便器を提供することを目的とする。
【０００６】
【課題を解決するための手段・作用・効果】
【０００７】
上記課題を解決するために、請求項１記載の本発明粉砕圧送部付き便器においては、ボウルと、粉砕圧送部と、前記粉砕圧送部を制御する粉砕圧送部制御手段と、前記ボウルと前記粉砕圧送部の連通モードと遮断モードを切り替える切替手段と、前記切替手段を制御する切替制御手段とを備えた粉砕圧送部付き便器において、前記切替手段は前記粉砕圧送部の運転に合わせて連通モードと遮断モードを切り替えるものとした。これにより両者の動作を好適に組み合わせた制御を行うことができる。さらに一つの制御部で便器全体の一連の制御を行うことができる。
ここで遮断モードについては、少しの通水（漏れ）があったとしても、連通モードと比較しおおよその遮断がされていればよいものとする。
【０００８】
また請求項２記載の本発明粉砕圧送部付き便器においては、前記切替手段は前記粉砕圧送部の駆動時には遮断モードとなるものとした。これにより粉砕圧送部の駆動時に誤って手を入れてしまったり異物を落とし込んだりすることがなく安全性が高い。また静音化をはかることができ、ポンプの駆動音がボウル側に伝達し使用者に不快感を与えることがない。
【０００９】
【発明の実施の形態】
以下、この発明に係る粉砕圧送部付き便器の実施の一形態を図面に基づいて説明する。図１は該粉砕圧送部付き便器の実施の一形態を示した側面図である。粉砕圧送部付き便器１は、ボウル２と、粉砕圧送部４と、ボウル２と粉砕圧送部４の連通モードと遮断モードを切り替える切替手段５とを備える。切替手段５については図２、粉砕圧送部４については図３を用いて後に説明する。また切替手段を制御する切替制御手段６、粉砕圧送部４を制御する粉砕圧送部制御手段７を備える。切替制御手段６および粉砕圧送部制御手段７はマイコンやタイマーを備えることなどにより、切替手段および粉砕圧送部４の一連の動作を把握し、かつ好適に設定することができる。切替制御手段６と粉砕圧送部制御手段７はより望ましくは図１に示すとおり一体にて形成され、共通の回路を用いることなどにより連動させるものとする。これにより両者の動作を好適に組み合わせた制御を行うことができる。さらに一つの制御部で便器全体の一連の制御を行うことができる。
【００１０】
図２は該切替手段５の実施の一形態を示した図である。切替手段５は、板部材５１が軸５２に固定されており、軸５２を回転させることで板部材５１がこれに伴い回転し、連通モードと遮断モードを切り替えるものとした。板部材５１は図１および図２において示したボウル２と粉砕圧送部４との接続部内周５０１と形状をほぼ等しくしており、ここではほぼ円形であるものとした。板部材５１が接続部内周５０１にほぼ垂直である場合には遮断モード、そうでない場合には連通モードとなる。より望ましくは連通モードにおいては板部材の周の１／３以上が接続部内周５０１から離れているものとする。軸５２は軸回転用モーター５３により回転させられ、この軸回転用モーター５３が切替制御手段６からの信号を受けることで切替手段５は制御される。
ここで遮断モードについては、板部材５１と接続部内周５０１との間にわずかな隙間があり、両者の間に少しの通水（漏れ）があったとしても、連通モードと比較しおおよその遮断がされていればよいものとする。
ここでは切替手段５は軸５２を回転させることで板部材５１がこれに伴い回転するものとしたが、ボウル２と粉砕圧送部４の連通モードと遮断モードを切り替えることが可能であればいかなる方式であってもよい。板部材５１の代わりに横に半分に分かれるよう２枚の扉を備え、連通モードとするためにこの扉が観音開き状に左右に開くものとしてもよい。またモーターのみならずバネやおもりを用い、これにより切り替えのタイミングを好適に調整してもよい。さらにはモーターとの併用とすることもできる。
【００１１】
図３は該粉砕圧送部４の実施の一形態を示した側面図である。粉砕圧送部４は粉砕圧送用モーター４２と粉砕部４４を備えた。汚物は汚物流入口４３より粉砕部４４へと流入し、粉砕される。粉砕部４４においては、内部にカッター４５を備え、外周はフィルタ４６により囲まれている。圧送排出は粉砕圧送用モーター４２により回転されるインペラー４８により行われる。汚物は下部の汚物吸上口４７から吸上げられ、インペラー４８の回転により外部へと圧送排出される。粉砕圧送用モーター４２が粉砕圧送部制御手段７からの信号を受けることで粉砕圧送部４は制御される。
ここでは一つの粉砕圧送用モーター４２を用いて粉砕と圧送を行うことができるものとしたが、それぞれを別のモーターをもって行うものとしてもよい。あるいは粉砕用カッターと圧送用のインペラーが一体であり、インペラーに粉砕機能を持たせるため、鋭利な突起を備えるなどしてもよい。
【００１２】
図４は該粉砕圧送部付き便器の実施の一形態であり、一連の動作を示した図である。切替手段のモードおよび粉砕圧送部の駆動状態を合わせて示した。図１〜３の粉砕圧送部付き便器および各部分の構成図と合わせて説明する。
まず使用者が排泄行為を行い、汚物がボウル２内へと排出される（図４の「排泄」。）。このとき汚物からの臭気の拡散を抑えるためボウル２内に汚物が水没するのに十分な量の溜水が保持できるよう、切替手段５は遮断モードとなっていることが望ましい。使用者が排泄を終了し、図示しない洗浄スイッチを押すなどすると、ボウル２の洗浄がなされる（図４の「ボウル洗浄」。）。このとき切替手段５は連通モードとなり、汚物と溜水、洗浄水がボウル２から粉砕圧送部４へと流出される。ボール２の洗浄については溜水が十分存在しボウル２面に汚物の付着が起こり得ないなどの場合には省略してもよく、その場合には汚物と溜水、洗浄水は重力により自然にボウル２より粉砕圧送部４へと移動するものとする。汚物と溜水、洗浄水の粉砕圧送部４への流入が終わると粉砕圧送が行われる。粉砕圧送部４が駆動するのと同時、もしくはそれよりもわずかに早く、切替手段５は遮断モードとなる。
ここで切替手段５の動作について、図２をもって説明する。板部材５１は軸５２に固定されており、軸５２を軸回転用モーター５３により回転させることで、板部材５１がこれに伴い回転し、連通モードと遮断モードを切り替える。板部材５１がボウル２と粉砕圧送部４の接続部内周５０１にほぼ垂直である場合には遮断モード、そうでない場合には連通モードとなる。軸回転用モーター５３としては回転方向を随時反転可能であるものを用いるのが望ましい。軸回転用モーター５３が切替制御手段６からの信号を受けることで切替手段５は制御される。
汚物と溜水、洗浄水が粉砕圧送部４へと流入した後、粉砕圧送部４が駆動され、粉砕圧送が行われる（図４の「粉砕圧送」。）。このとき切替手段５は遮断モードとであることが望ましい。このため粉砕圧送部４が駆動するのと同時、もしくはそれよりもわずかに早く、切替手段５は遮断モードとなるよう、切替制御手段６および粉砕圧送部制御手段７において設定される。これにより粉砕圧送部４の駆動時に誤って手を入れてしまったり異物を落とし込んだりすることがなく安全性が高い。また静音化をはかることができ、粉砕圧送部４の駆動音がボウル側に伝達し使用者に不快感を与えることがない。
粉砕圧送時の、粉砕圧送部４内の動作については、図３をもって説明する。汚物はボウル２より粉砕圧送部４内へと移動し、汚物流入口４３から流入する。粉砕部４４において、粉砕圧送用モーター４２により回転させられるカッター４５により粉砕され、フィルタ４６の穴を通じて一旦粉砕圧送部の底面へと排出される。その後粉砕された汚物は再度、下部の汚物吸上口４７から吸上げられ、粉砕圧送用モーター４２がインペラー４８を回転させることにより外部へと圧送排出される。
粉砕圧送用モーター４２が粉砕圧送部制御手段７からの信号を受けることで粉砕圧送部４は制御される。
粉砕圧送の終了後は、粉砕圧送部付き便器１は動作せず定常状態となるが、この間にも粉砕圧送部４内に誤って手を入れてしまったり異物を落とし込んだりすることがないよう、切替手段５は遮断モードとなっていることが望ましい。またこれにより下水側からの臭気の立ち上りを避けることもできる。
ここでは粉砕圧送以前の動作についてもその一例を示したが、使用において不具合を生じず、粉砕圧送部に汚物を完全に移動させることができるものであればその動作はいかなるものであってもよい。また粉砕圧送部４内の動作についても粉砕圧送を良好に行うことができるものであればいかなるものであってもよい。
【発明の効果】
粉砕圧送部と切替手段が好適に動作する粉砕圧送部付き便器を提供することができる。特に粉砕圧送部の駆動時は切替え手段を遮断モードとすることで、粉砕圧送部の駆動時に誤って手を入れてしまったり異物を落とし込んだりすることがなく安全性が高い。また静音化をはかることができ、ポンプの駆動音がボウル側に伝達し使用者に不快感を与えることがない。
【図面の簡単な説明】
【図１】本発明の実施の一形態である粉砕圧送部付き便器の側面図である。
【図２】本発明の実施の一形態である切替手段を示した図である。
【図３】本発明の実施の一形態である粉砕圧送部を示した側面図である。
【図４】本発明の実施の一形態である粉砕圧送部付き便器の一連の動作を示した図である。
【符号の説明】
１　：　粉砕圧送部付き便器
２　：　ボウル
４　：　粉砕圧送部
５　：　切替手段
６　：　切替制御手段
７　：　粉砕圧送部制御手段
５１　：　板部材
５２　：　軸
５３　：　軸回転用モーター
４２　：　粉砕圧送用モーター
４３　：　汚物流入口
４４　：　粉砕部
４５　：　カッター
４６　：　フィルタ
４７　：　汚物吸上口
４８　：　インペラー
５０１　：　接続部内周
【図１】
2004116227.tif 000003
【図２】
2004116227.tif 000004
【図３】
2004116227.tif 000005
【図４】
2004116227.tif 000006